(57)【特許請求の範囲】
【請求項１】
魚釣りに用いる釣竿であって、
リールを脱着自在に装着可能なリールシートを有する第１竿体と、
前記第１竿体の竿元側に前記第１竿体に回動自在に連結された第２竿体と、
前記第１竿体と第２竿体とを直線状に固定可能な固定手段と
を備えた釣竿。
【請求項２】
前記第１竿体の竿元側には軸方向に直交する方向に貫通した貫通孔を有する第１回動支持部が連結されており、前記第２竿体の穂先側には軸方向に直交する方向に貫通した貫通孔を有する第２回動支持部が連結されており、前記第１回動支持部及び前記第２回動支持部を相互に組み合わせた状態で前記貫通孔を回転軸が貫通している、請求項１に記載の釣竿。
【請求項３】
前記第２竿体上に前記第２竿体が貫通した状態で軸方向に移動自在に配置されたパイプ部材をさらに備え、前記固定手段は前記パイプ部材である、請求項１または２に記載の釣竿。
【発明の詳細な説明】
【０００１】
【発明の属する技術分野】
本発明は釣竿に関する。
【０００２】
【従来の技術】
従来の釣竿、例えば中通し竿は、内部に釣糸通路を有する筒状の竿体と、竿体の竿元側周面上に脱着自在に固定されるリールと、竿体周面上に形成されリールからの釣糸を竿体内の釣糸通路に導入するための釣糸導入口と、竿体の穂先側端部に設けられ釣糸通路からの釣糸を外部に導出するトップガイドとを有している。そして、釣糸導入口開口縁及びトップガイド内部にはセラミックリングが配置されている。
【０００３】
このような従来の中通し竿では、リールからの釣糸は釣糸導入口から釣糸通路内に導入され順次穂先側に送られてトップガイドから外部に導出される。通常、竿体は略水平方向に保持されるため、この中通し竿から導出される釣糸は竿体の穂先側端部のトップガイドから略直角方向に変角して水底方向に至る。
【０００４】
【発明が解決しようとする課題】
竿体から導出される釣糸がトップガイド部分において変角する際に釣糸とトップガイドとの間に生じる抵抗は大きい。釣糸の先端の仕掛けを水深の深い場所まで沈降させる船釣り等に用いられる中通し型の船竿では、この抵抗によって素早く仕掛けを水中に沈降させにくくなる恐れがある。また、中通し竿に限らず、外通し竿であっても、リールからの釣糸が変角する際に大きな抵抗が生じる点では同様である。
【０００５】
本発明の課題は、仕掛けを水中に投下し易い釣竿を提供することにある。
【０００６】
【課題を解決するための手段】
発明１に係る釣竿は、魚釣りに用いる釣竿であって、リールを脱着自在に装着可能なリールシートを有する第１竿体と、第１竿体の竿元側に第１竿体に回動自在に連結された第２竿体と、第１竿体と第２竿体とを直線状に固定可能な固定手段とを備えている。
【０００７】
この釣竿では、通常は固定手段によって第１竿体と第２竿体とは直線状に連結され固定されている。キャスティング後に釣糸を先端の仕掛けと共にその自重によって水中に落下させる場合には、固定手段を解除して第１竿体と第２竿体とが相対的に回動自在な状態とする。そして、例えば、ユーザは第２竿体を把持しつつ第１竿体をその先端が水底方向を向くように回動させる。このように第１竿体が水底方向を向くことによりリールからの釣糸は途中で変角することなくほぼ直線的に水底方向に沈む。この結果、釣糸及びその先端の仕掛けを素早く沈降させることができる。
【０００８】
発明２に係る釣竿は、発明１の釣竿であって、第１竿体の竿元側には軸方向に直交する方向に貫通した貫通孔を有する第１回動支持部が連結されており、第２竿体の穂先側には軸方向に直交する方向に貫通した貫通孔を有する第２回動支持部が連結されている。そして、第１回動支持部及び第２回動支持部を相互に組み合わせた状態で貫通孔を回転軸が貫通している。
【０００９】
この場合には、回動支持部が互いに回転軸によって回動自在に連結されており、第１竿体と第２竿体とが回動する。
発明３に係る釣竿は、発明１また２の釣竿であって、第２竿体上に第２竿体が貫通した状態で軸方向に移動自在に配置されたパイプ部材をさらに備えている。そして、固定手段はこのパイプ部材である。
【００１０】
第１竿体と第２竿体とを直線状に固定する際には、第２竿体上のパイプ部材を第１竿体側に移動させて、第１竿体と第２竿体との連結部分上にパイプ部材を位置させる。第１竿体と第２竿体とを回動自在にする際には、パイプ部材を第２竿体上に移動させる。
なお、例えば、船釣り等において用いる船竿にあっては釣竿の竿元側を船縁に固定するロッドホルダーを用いることがあるが、パイプ部材をロッドホルダーのバイスで固定すれば竿体自体を痛めることもなく取扱も容易になる。
【００１１】
【発明の実施の形態】
以下、本発明の一実施形態について図面を参照しつつ説明する。
本発明の一実施形態を採用した中通し竿は、図１に示すように、元竿１と、元竿１の穂先側に振出形式で連結された複数の竿体からなる竿体ユニット２と、元竿１の竿元側に互いに回動自在に連結された手元竿３とを有している（図２参照）。これら元竿１〜手元竿３は炭素繊維またはガラス繊維等に合成樹脂を含浸させたプリプレグから形成される先細り筒状部材である。そして、竿体ユニット２乃至元竿１は穂先側から順次竿元側の竿体の内部に挿入され出し入れ自在になっており、いわゆる振出形式で連結されている。
【００１２】
この元竿１は、外周面に形成されリール５を脱着自在に装着可能なリールシート４とを有し、穂先側にリール５からの釣糸Ｌを竿体内部の釣糸通路に導入するための釣糸導入口７が形成されている。また、釣糸導入口７を覆うように配置され釣糸Ｌを釣糸導入口７へ案内する釣糸導入ガイドＧが固定されている。また、竿体ユニット２の最も穂先側に位置する竿体の穂先側端部には釣糸通路からの釣糸Ｌを外部に導出するトップガイド６が配置されている。
【００１３】
また、手元竿３には手元竿３及び元竿１の竿元側部分上を軸方向に移動自在に、手元竿３及び元竿１が貫通する状態で配置されたパイプ部材１５が配置され、竿元側端部には手元竿３の竿元側外径より大径の尻栓９が脱着自在に固定されている。パイプ部材１５は尻栓９を手元竿３から取り外した状態で手元竿３上に配置される。後述のように、このパイプ部材１５は最も竿元側（尻栓９側）に移動した場合には、元竿１と手元竿３との連結部分より竿元側に位置する（図４参照）。
【００１４】
図２及びその底面図である図３に示すように、元竿１の竿元側端部内周面にはねじ山が形成され雌ねじ部となっており、第１回動支持部１０が連結されている。第１回動支持部１０は、元竿１の雌ねじ部に螺合可能なねじ山を有する雄ねじ部１０ａと、雄ねじ部１０ａより径太で元竿１の竿元側端部を閉塞する本体部１０ｂと、本体部１０ｂの竿元側において幅方向（元竿１のリールシート４に対する径方向を縦方向とし、これに直交する径方向）両側においてそれぞれ竿元側に突出した一対の回動支持片１０ｃとを有している。この回動支持片１０ｃは元竿１の軸心より縦方向においてリールシート４と反対側に位置している。また、回転支持片１０ｃにはそれぞれ幅方向に貫通する貫通孔が形成されている。
【００１５】
また、手元竿３の穂先側端部内周面にもねじ山が形成され雌ねじ部となっており、第２回動支持部１１が連結されている。第２回動支持部１１は、手元竿３の雌ねじ部に螺合可能なねじ山を有する雄ねじ部１１ａと、雄ねじ部１１ａより径太で手元竿３の穂先側端部を閉塞する本体部１１ｂと、本体部１１ｂの穂先側で、第１回動支持部１０の回動支持片１０ｃの間に位置するように穂先側に突出した回動支持片１１ｃを有している。この回転支持片１１ｃにも幅方向に貫通する貫通孔が形成されており、回動支持片１０ｃ，１１ｃが互いに組み合わされた状態でシャフト１２が貫通している。
【００１６】
パイプ部材１５は、元竿１及び手元竿３の外径にほぼ一致する内径を有し、手元竿３〜元竿１の竿元側部分上を軸方向に移動自在な部材である。ステンレス，チタン合金等から形成される。パイプ部材１５内周面には、必要に応じてウレタンゴム等の弾性材が貼り付けられており、元竿１や手元竿３の周面を痛めないようになっている。
【００１７】
この中通し竿は、通常は、図４(a)に示すように、元竿１と手元竿３とを直線状に配置させて、パイプ部材１５を元竿１と手元竿３との連結部分上に配置し固定しておく。そして、キャスティング等をおこなう。キャスティング後に釣糸Ｌを先端の仕掛け（図示せず）と共にその自重によって水中に落下させる際には、パイプ部材１５を手元竿３側にスライド移動させて、元竿１と手元竿３とが相対的に回動自在な状態とする。そして、図４(b)に示すように、手元竿３を把持しつつ元竿１より穂先側をその先端（竿体ユニット２の穂先側先端）が水底方向を向くように回動させる。このように元竿１より穂先側の竿体が水底方向を向くことによりリール５からの釣糸Ｌは途中で変角することなくほぼ直線的に水底方向に沈んでゆく。この結果、釣糸Ｌ及びその先端の仕掛けを素早く沈降させることができる。仕掛けを沈降させた後には、再び図４(a)に示すように、元竿１と手元竿３とを直線状に配置させて、パイプ部材１５を元竿１と手元竿３との連結部分上に配置し固定して釣りをおこなう。
【００１８】
なお、船釣りにおいては、船縁に固定したロッドホルダーのバイス部分でパイプ部材１５を挟持し固定しておけば、竿体を損傷することもなく取り扱いも容易である。
［他の実施形態］
（ａ）釣竿の竿体の数は上記実施の形態に限定されるものではなく、任意の数の竿体を用いることができる。
（ｂ）上記実施形態では、いわゆる中通し竿を例示しているが、竿体外部に設けた複数の釣糸ガイドに釣糸を挿通させる外通し竿に本発明を適応してもよい。
（ｃ）上記実施形態に限定されず、元竿と手元竿３とは、他の方法によって互いに回動自在に形成されてもよい。
（ｄ）図５に示すように、手元竿３に代えて外周面にねじ山が形成された筒状体２３を用意し、この筒状体２３の外周に螺合するパイプ部材２５を用いてもよい。この場合、パイプ部材２５を螺合させつつ筒状体２３上を軸方向に移動させて、筒状体２３と元竿１とを直線状に固定し、また解除する。パイプ部材２５が軸方向において任意の位置に固定可能であり取り扱いやすい。
【００１９】
【発明の効果】
本発明によれば、釣糸が水中に沈降する際の抵抗を軽減でき仕掛けを水中に投下し易い。
【図面の簡単な説明】
【図１】本発明の一実施形態を採用した釣竿の全体図。
【図２】図１の元竿１及び手元竿３の連結部分の拡大断面図。
【図３】図２の底面図。
【図４】元竿１と手元竿３との回動状態を示した図。
【図５】本発明の他の実施形態を採用した元竿と手元竿との連結部分の拡大断面図。
【符号の説明】
１  元竿
２  竿体ユニット
３  手元竿
１０  第１回動支持部
１１  第２回動支持部
１２  シャフト
１５  パイプ部材
【図１】
0004165971.tif 000002
【図２】
0004165971.tif 000003
【図３】
0004165971.tif 000004
【図４】
0004165971.tif 000005
【図５】
0004165971.tif 000006